(57)【特許請求の範囲】
【請求項１】
組み立て時に截頭角錐になるように該截頭角錐の角数に対応する複数の折り目が形成されており、該折り目により区画される各片のいずれかの片に、前記組み立て時に前記截頭角錐に係止し保持させるための保持機構を有し、前記各片は、前記折り目により区画される各片の幅が一方から他方に向かうに従って順に広くまたは狭くなるように形成されていることを特徴とするかつら載置用スタンド。
【請求項２】
前記各片は、頂部および底部が所定の曲率を有して形成されていることを特徴とする請求項１に記載のかつら載置用スタンド。
【請求項３】
前記各片は、折り畳んだ際に前記保持機構が設けられた位置に対応する位置に貫通穴が形成されていることを特徴とする、請求項１または２に記載のかつら載置用スタンド。
【発明の詳細な説明】
【０００１】
【発明の属する技術分野】
本発明はかつら載置用スタンドに関し、特に、かつらの展示に際してその装着状態の見栄えを良くすることができるとともに搬送・携帯を簡易にし、さらに、かつら装着者がかつらをはずしたときに、かつらの形態を崩さずに保持することができる載置用スタンドに関する。
【０００２】
【従来の技術】
従来より、例えば、デパートの店頭などにおいてかつらを展示する場合、かつらを装着したときにどのような感じで装着されるかがわかるように、マネキンや人型の支持台の頭部にかつらを装着するようにしている。これによると、かつらの購入者にとっては、実際に近い状態で装着状態が分かるので、装着状態を予め確認しながら購入することができる。
【０００３】
一方、購入したかつらは、常に又は頻繁に頭部に着用されるものであるため、毛髪と同様に汗を吸収したり埃を吸着しやすい。このため、毛髪と同様に洗髪等をして定期的に手入れする必要がある。このような場合、洗髪したかつらをそのままテーブル等の平面に置いておくと人工毛に好ましくないカール等の癖がつき、また、寝かせたまま長時間放っておくとかつらの形態がくずれるので、通常、毛髪が床面に接触しない程度の高さをもったかつらスタンドに被せておくようにしたり、かつらスタンドの代用としてティッシュペーパーの箱を立てその頂部に被せておくようにしたりして、形態を崩さず自然乾燥させるようにしている。また、かつらの洗髪後だけでなく、入浴時や就寝時などにもかつらをはずすが、このような場合でもテーブル等の平面に置いておくと形態が崩れるおそれがあるので、前述したように、頭を模したかつらスタンドに被せておくようにしたり、ティッシュペーパーの箱を立てその頂部に被せておくようにしたりして形態を崩さないようにしている。
【０００４】
【発明が解決しようとする課題】
しかしながら、このようなかつらを展示・乾燥・載置させる従来の方法によれば、以下のような問題があった。
（１）例えば、展示に際してマネキンを使用する場合には、いわゆる半身のマネキンや胸像あるいは首像だけの基本マネキンにおいては、所定の大きさおよび重量を有するため、展示スペースの確保やそれを展示場所に運ぶためのコストおよびマネキン自体のコストがかかるという問題がある。
（２）また、例えば、かつらの中には襟足までの長さを有しないかつら、いわゆる８分ウィッグと呼ばれるものがあるが、このような８分ウィッグをマネキンの頭部に被せるとマネキンの頭部下方から首筋にかけては毛髪が存しないため、バランスが悪く見栄えが悪くなるという問題がある。また、頭頂部だけに装着されるかつら、いわゆるトップピースと呼ばれるものがあるが、これを前述したマネキンの頭部に被せると、見た目だけでも異様な感じを与えてしまうという問題もある。
（３）一方、かつらを洗髪して自然乾燥させたり、入浴時や就寝時などにかつらをはずすときに形態を崩さずに載置させるようにかつらスタンドに保持するには、あくまでもかつらスタンドの用意がある自宅等では可能であるが、ティッシュペーパーの箱を立ててその頂部に置くようにする代用的な使用方法ではかつらに傷をつけてしまうおそれがある。
（４）また、例えば、かつらを着用している人が出張や旅行に出かけた場合など、このような高さのあるかつら載置に適した代用的なものがない場合には、テーブル等の平面に置いておかざるを得ず、かつらの形態が崩れてしまうと言う問題があった。
【０００５】
従って、本発明の目的は、かつらを展示する際にスペースをとらず低コストで設置することができ、かつらの装着状態の見栄えを良くすることができるかつら載置用スタンドを提供することにある。
【０００６】
本発明の他の目的は、搬送・携帯に便利であり、かつらをはずしたときに、かつらの形態を崩さずに保持し得る載置用スタンドを提供することにある。
【０００７】
【課題を解決するための手段】
本発明は、上記の目的を達成するために、所定の柱状の形状に組み立て可能な本体部と、前記本体部の所定の部位に係止されるフランジ部と、から構成されることを特徴とするかつら載置用スタンドを提供するものである。
【０００８】
以上の構成において、前記本体部は、組み立て時に多角形、好ましくは截頭６角錐になるように、上記角数に対応する複数の折り目、好ましくは６本の折り目が形成されており、該折り目により区画される各片のいずれかの片に、組み立て時に前記本体部を係止し、多角形、好ましくは截頭６角錐に保持させるための保持機構を有することが望ましい。また、前記本体部は、好ましくは、前記各片のいずれかの片に前記フランジ部が係止される係止用穴あるいは切欠を有し、前記フランジ部は、本体部の係止用穴あるいは切欠に嵌挿して係止するための係止用突起を有する。
【０００９】
また、前記本体部は、前記折り目により区画される各片の頂部が隣接する片と異なる曲率で形成されていることが望ましい。
【００１０】
さらに、本発明は、上記の目的を達成するために、組み立て時に截頭角錐になるように上記角数に対応する複数の折り目が形成されており、該折り目により区画される各片のいずれかの片に、組み立て時に前記截頭角錐に係止し保持させるための保持機構を有することを特徴とするかつら載置用スタンドを提供するものである。
【００１１】
以上の構成において、前記各片は、頂部および底部が所定の曲率を有して形成されていることが望ましい。また、前記各片は、好ましくは、前記折り目により区画される各片の幅が一方から他方に向かうに従って順に広くまたは狭くなるように形成されており、さらに、各片は、折り畳んだ際に前記保持機構が設けられた位置に対応する位置に貫通穴が形成されている。
【００１２】
【発明の実施の形態】
以下、添付図面を参照しながら、本発明の実施の形態を詳細に説明する。
＜第１の実施の形態＞
図１〜図３は、本発明の第１の実施の形態によるかつら載置用スタンドの構成を示す図である。このうち、図１はかつら載置用スタンドの展開図である。図に示すように、このかつら載置用スタンドは、本体部１とフランジ部２とから構成される。本体部１およびフランジ部２はともに紙或いは合成樹脂により成形されることができる。
【００１３】
本体部１は、図１に示すように、形状が扇状をしており、折り曲げたときに６角錐になるように、プレスにより６本の折り目１０Ａ、１０Ｂ，１０Ｃ，１０Ｄ，１０Ｅ，１０Ｆが設けられている。これらの折り目１０Ａ、１０Ｂ，１０Ｃ，１０Ｄ，１０Ｅ，１０Ｆにより７つの各片１１，１２，１３，１４，１５，１６，１７が区画される。折り目１０Ａ、１０Ｂ，１０Ｃ，１０Ｄ，１０Ｅ，１０Ｆにより区画される各片のうち、片１１には、後述する折り目１０Ｆに設けられたスリット１Ｅ，１Ｆに挿入して係止させる爪片１Ｃ，１Ｄが外側に突出して設けられている。また、各片で区画される片のうち折り目１０Ａおよび１０Ｂならびに１０Ｄおよび１０Ｅで区画される片１２ならびに１５には、後述するフランジ部２の突片２Ａ，２Ｂを嵌挿し係止する係止穴１Ａ，１Ｂが設けられている。
なお、各片１１，１２，１３，１４，１５，１６，１７はそれぞれ細長い矩形状を呈するが、上辺が下辺に対して短く形成され、組み立てたとき完全な６角錐とはならず途中から切り落とされて平坦に、すなわち、恰も富士山頂のような形状になっており、これを、本発明では「截頭」６角錐と称することにする。
【００１４】
フランジ部２は、図１に示すように外形が円形をしており、内側の形状が６角形に切り抜かれており、本体部１が６角錐に折り曲げ組み立てられて、この６角形に切り抜かれた部分に挿入されたとき、前述した片１２ならびに１５に設けられている係止穴１Ａ，１Ｂに嵌挿され係止される突片２Ａ，２Ｂが形成されている。
【００１５】
なお、本体部１およびフランジ部２の素材として、上記のように合成樹脂を用いる場合、例えば透明なポリプロピレンが適している。ポリプロピレンは、焼却した場合でも有毒ガス等が発生せず環境にやさしい素材であり、また、本体部１およびフランジ部２が透明にできるので、デザイン性・インテリア性に優れたものとなる。この場合、無色透明のほか、有色で半透明であっても良い。
【００１６】
図２は、図１に示したかつら載置用スタンドの組立図である。図に示すように、本体部１の各片１１〜１７を折り曲げ、截頭６角錐になった状態で片１１の爪片１Ｃ，１Ｄを折り目１０Ｆに設けられたスリット１Ｅ，１Ｆに挿入して係止させ、組み立てられた本体部１の截頭６角錐の上部からフランジ部２を嵌挿し、フランジ部２の突片２Ａ，２Ｂを、本体部１の片１２，１５の上端からやや下方に形成された係止穴１Ａ，１Ｂに嵌挿し係止する。これにより、本体部１の上端からやや下方の位置でフランジ部２が放射状に張り出したかつら載置用スタンドの組立が完了する。
【００１７】
図３は、このかつら載置用スタンドの使用状態図である。図に示すように、かつら１００は、図２において組み立てられた截頭６角錐の上部に載置される。この截頭６角錐の上部には、所定長の円周を有するフランジ部２（図示せず）が係止されているので、かつら１００を載置したとき、単に６角錐状にではなく、ある程度のふくらみをもって安定して載置されることになる。このため、かつら１００があたかも人間の頭部に装着されたかのように見せることができる。また、例えば、８分ウィッグと呼ばれるかつらの場合など、マネキンの頭部に被せるとバランスが悪く見栄えが悪くなり見た目が異様に感じるが、このかつら載置用スタンドによれば、人間の頭部が形状として表されていないので、バランスの悪さや見た目の異様な感じを与えることはない。
【００１８】
この実施の形態によるかつら載置用スタンドによると、マネキンのように場所をとらないため、より多くのかつらを展示することができる。また、マネキンに装着すると見た目やバランスの悪い８分ウィッグの場合でも、きれいに展示することができる。また、透明あるいは半透明の素材を使用しているので、例えば、シーズン毎に色・イメージの演出も取り入れることができる。また、分解可能であるので、持ち運びや郵送に便利であり、運送にかかるコストを低減することができる。そして、マネキンを使用しないためマネキンにかかるコストを削減することができる。
【００１９】
＜第２の実施の形態＞
図４〜図６は、第２の実施の形態によるかつら載置用スタンドの構成を示す図である。このうち、図４はその展開図である。図に示すように、このかつら載置用スタンドは、第１の実施の形態と同じく、本体部３とフランジ部４とから構成される。本体部３およびフランジ部４がともにポリプロピレンで成形され、透明であることは、第１の実施の形態と同じである。この実施の形態によるかつら載置用スタンドは、例えば、頭部の一部だけを覆うような、比較的狭い面積の部分かつらを載置するためのかつら載置用スタンドである。
【００２０】
本体部３は、図４に示すように、形状が全体として扇状をしており、折り曲げたときに截頭６角錐になるように、プレスにより６本の折り目３０Ａ、３０Ｂ，３０Ｃ，３０Ｄ，３０Ｅ，３０Ｆが設けられている。これらの折り目３０Ａ、３０Ｂ，３０Ｃ，３０Ｄ，３０Ｅ，３０Ｆにより合計７つの片３１，３２，３３，３４，３５，３６，３７が区画される。折り目３０Ａ、３０Ｂ，３０Ｃ，３０Ｄ，３０Ｅ，３０Ｆにより区画される各片のうち、片３１には、後述する折り目３０Ｆに設けられたスリット３Ｅ，３Ｆに挿入して係止させる爪片３Ｃ，３Ｄが設けられている。また、各片で区画される片のうち片３１ならびに３０Ｄおよび３０Ｅで区画される片３４の頂部には、後述するフランジ部４の突片４Ａ，４Ｂを係止する切欠３Ａ，３Ｂが設けられている。第１の実施の形態と異なるのは、本体部３が第１の実施の形態によるかつら載置用スタンドと比較して長さが短いこと、各片３１〜３７の頂部のＲが中央部になるに従って大きく形成されていること、フランジ部４の突片４Ａ，４Ｂを係止穴ではなく切欠３Ａ，３Ｂで係止するようにしていること、およびフランジ部４が本体部３の上端で傾斜をもって支持されることである。
【００２１】
フランジ部４は、図４に示すように、第１の実施の形態と同様に形状が円形をしており、本体部３が截頭６角錐に折り曲げ組み立てられたとき、前述した片３１ならびに３４に設けられている切欠３Ａ，３Ｂに嵌挿され係止される突片４Ａ，４Ｂが形成されている。
【００２２】
図５は、図４に示したかつら載置用スタンドの組立図の正面図である。図に示すように、本体部３の各片３１〜３７を折り曲げ、截頭６角錐になった状態で片３１の爪片３Ｃ，３Ｄを折り目３０Ｆに設けられたスリット３Ｅ，３Ｆに挿入して係止させ、組み立てられた本体部３の截頭６角錐の上部からフランジ部４を嵌挿し、フランジ部４の突片４Ａ，４Ｂを、本体部３の片３１，３４の切欠３Ａ，３Ｂに嵌挿し係止する。これにより、かつら載置用スタンドの組立が完了する。なお、このとき、各片３１〜３７の頂部のＲが中央部になるに従って大きく形成されているため、載置面が所定の角度を有する斜面となって形成される。
【００２３】
図６は、このかつら載置用スタンドの使用状態図である。図に示すように、部分かつら２００は、図５において組み立てられた截頭６角錐の上部に安定して載置される。この截頭６角錐の上部は、前述したように、載置面が所定の角度を有する斜面となって後方へ傾斜しているので、部分かつら２００を載置したとき、部分かつら２００はこの斜面に沿って載置されることになる。なお、この場合、かつら２００が斜面から滑り落ちないように、かつら２００に設けられるストッパー（図示せず）をフランジ部４に係止する。これにより、部分かつら２００があたかも人間の頭部に装着されたかのように見せることができる。また、マネキンの頭部に被せるとバランスが悪く見栄えが悪くなり見た目が異様に感じるが、このかつら載置用スタンドによれば、人間の頭部が形状として表されていないので、バランスの悪さや見た目の異様な感じを与えることはない。
【００２４】
また、この実施の形態によるかつら載置用スタンドにおいても、第１の実施の形態において述べたと同様に、マネキンのように場所をとらないため、より多くのかつらを展示することができる。また、マネキンに着けると見た目やバランスの悪いトップピースの場合でも、きれいに展示することができる。また、透明あるいは半透明の素材を使用しているので、例えば、シーズン毎に色・イメージの演出も取り入れることができる。また、分解可能であるので、持ち運びや郵送に便利であり、運送にかかるコストを低減することができる。さらに、マネキンを使用しないためマネキンにかかるコストを削減することができる。
【００２５】
＜第３の実施の形態＞
図７〜図１０は、第３の実施の形態によるかつら載置用スタンドの構成を示す図である。このうち、図７はその展開図である。図に示すように、このかつら載置用スタンドは、第１および第２の実施の形態と異なり、本体部５のみから構成される。なお、本体部５がポリプロピレンで成形され、透明であることは、第１および第２の実施の形態と同じである。この実施の形態によるかつら載置用スタンドは、特に、携帯に便利なかつら載置用スタンドである。
【００２６】
本体部５は、図７に示すように、形状が全体として扇状をしており、折り曲げたときに截頭６角錐になるように、プレスにより６本の折り目５０Ａ、５０Ｂ，５０Ｃ，５０Ｄ，５０Ｅ，５０Ｆが設けられている。この折り目５０Ａ、５０Ｂ，５０Ｃ，５０Ｄ，５０Ｅ，５０Ｆにより各片５１，５２，５３，５４，５５，５６，５７が区画される。この折り目５０Ａ〜５０Ｆにより区画される各片のうち、片５１には、後述する片５７に設けられたホック５７Ａ，５７Ｂに止め合わされるホック５１Ａ，５１Ｂが設けられており、片５２〜片５６には、前述したホック５１Ａ，５１Ｂおよびホック５７Ａ，５７Ｂの円周より幾分長い円周の丸穴５２Ａ，５２Ｂ，５３Ａ，５３Ｂ，５４Ａ，５４Ｂ，５５Ａ，５５Ｂ，５６Ａ，５６Ｂがそれぞれ設けられている。また、片５７には、前述したホック５１Ａ，５１Ｂを止め合わせるホック５７Ａ，５７Ｂが設けられている。
なお、各片５１〜５７は、いずれも頂部および底部が所定の曲率を有して形成されている。また、片５７は、他の各片５１〜５６と異なり、一方の側部が内側に大きくえぐられたえぐり部５７Ｃを有している。直線状に形成すると、このかつら載置用スタンドを組み立てたときにこの部分が大きく膨らんでしまうためであり、また、その膨らみによる取り扱い時の怪我等を防ぐためである。
ここで、各片５１〜５６の幅Ｌ１〜Ｌ６は片５１から片５６に向かうに従って大きくなる関係にある。即ち、Ｌ１＜Ｌ２＜Ｌ３＜Ｌ４＜Ｌ５＜Ｌ６の関係にある。なお、ここでは、本体部５を止め合わせるために、ホックを用いているが、これに限るものではなく、例えば、ベルクロファスナーや第１および第２の実施の形態で述べたような係止片とスリットの組み合わせ等により止め合わせるようにしてもよい。
【００２７】
図８は、図７に示したかつら載置用スタンドの組立図である。図８に示すように、本体部５の各片５１〜５７を所定角度に折り曲げ、截頭６角錐になった状態で片５１のホック５１Ａ，５１Ｂを片５７に設けられたホック５７Ａ，５７Ｂに止め合わせる。これにより、このかつら載置用スタンドの組立が完了する。
【００２８】
図９は、図７に示したかつら載置用スタンドの折り畳み状態を示す図である。前述したように、各片５１〜５６の幅Ｌ１〜Ｌ６は片５１から片６に向かうに従って大きくなる関係、即ち、Ｌ１＜Ｌ２＜Ｌ３＜Ｌ４＜Ｌ５＜Ｌ６の関係にあるので、片５１から順に片５６に向かって各折り目５０Ａ〜５０Ｆに沿って折り曲げる。そうすると、次に隣接する片がその前の片の幅を吸収して折り畳まれることとなる。この折り畳みに従って、ホック５１Ａ，５１Ｂは、各片の丸穴５３Ａ，５３Ｂ，５５Ａ，５５Ｂの中に嵌入される状態となり、折り畳みが最終の片５６に来たとき、嵌入されたホック５１Ａ，５１Ｂを片５７のホック５７Ａ，５７Ｂに止め合わせる。これにより、折り畳みが完了する。なお、５２Ａ，５２Ｂ，５４Ａ，５４Ｂ，５６Ａ，５６Ｂの各穴は、全体的な美観および通気性を高めている。
【００２９】
図１０は、このかつら載置用スタンドの使用状態図である。図に示すように、かつら３００は、図８において組み立てられた截頭６角錐の上部に載置される。この截頭６角錐の頂部は、所定の曲率を有して形成されているので、ここにかつら３００を載置した場合には、平面やかつら３００との間で空間が形成され、通気が可能となる。また、丸穴５２Ａ，５２Ｂ，５３Ａ，５３Ｂ，５４Ａ，５４Ｂ，５５Ａ，５５Ｂ，５６Ａ，５６Ｂ自体も通気穴として機能する。このため、かつら３００に付着した汗や湿気を自然乾燥させることができる。また、截頭６角錐の上部に載置することにより、かつらの形態を崩すことなく保持することができる。
【００３０】
なお、図７〜図１０に示したように、このかつら載置用スタンドは、折り畳みが可能であるので、携帯に便利である。従って、自宅等ではもちろん、旅先あるいは出張先等でも携帯し、組み立て使用することができる。
【００３１】
以上の実施の形態においては、本体部を６角柱状に形成するために７つの片によって構成するようにしているが、これは組み立て時の煩雑さを避けるためのものであり、この数または形状に限られるものではない。
【００３２】
【発明の効果】
以上説明したように、本発明のかつら載置用スタンドによれば、所定の柱状の形状に組み立て可能な本体部と、前記本体部の所定の部位に係止されるフランジ部と、から構成するようにしたので、かつらの展示に際して、その装着状態の見栄えを良くすることができる。
また、組み立て時に少なくとも截頭６角錐になるように少なくとも６本の折り目が形成されており、該折り目により区画される各片のいずれかの片に、前記組み立て時に截頭６角錐に係止し保持させるための保持機構を有するように構成したので、かつら装着者がかつらをはずしたときに、かつらの形態を崩さずに保持することができる。
【図面の簡単な説明】
【図１】第１の実施の形態によるかつら載置用スタンドの展開図である。
【図２】第１の実施の形態によるかつら載置用スタンドの組立図である。
【図３】第１の実施の形態によるかつら載置用スタンドの使用状態図である。
【図４】第２の実施の形態によるかつら載置用スタンドの展開図である。
【図５】第２の実施の形態によるかつら載置用スタンドの組立図である。
【図６】第２の実施の形態によるかつら載置用スタンドの使用状態図である。
【図７】第３の実施の形態によるかつら載置用スタンドの展開図である。
【図８】第３の実施の形態によるかつら載置用スタンドの組立図である。
【図９】第３の実施の形態によるかつら載置用スタンドを折り畳んだ状態を示す図である。
【図１０】第３の実施の形態によるかつら載置用スタンドの使用状態図である。
【符号の説明】
１    本体部
１Ａ，１Ｂ    係止穴
１Ｃ，１Ｄ    爪片
１Ｅ，１Ｆ    スリット
２    フランジ部
２Ａ，２Ｂ    突片
３    本体部
３Ａ，３Ｂ    切欠
３Ｃ，３Ｄ    爪片
３Ｅ，３Ｆ    スリット
４    フランジ部
４Ａ，４Ｂ    突片
５    本体部
１０Ａ、１０Ｂ，１０Ｃ，１０Ｄ，１０Ｅ，１０Ｆ    折り目
１１，１２，１３，１４，１５，１６，１７    片
３０Ａ、３０Ｂ，３０Ｃ，３０Ｄ，３０Ｅ，３０Ｆ    折り目
３１，３２，３３，３４，３５，３６，３７    片
５０Ａ、５０Ｂ，５０Ｃ，５０Ｄ，５０Ｅ，５０Ｆ    折り目
５１，５２，５３，５４，５５，５６，５７    片
５１Ａ，５１Ｂ，５７Ａ，５７Ｂ    ホック
５２Ａ，５２Ｂ    丸穴
５３Ａ，５３Ｂ    丸穴
５４Ａ，５４Ｂ    丸穴
５５Ａ，５５Ｂ    丸穴
５６Ａ，５６Ｂ    丸穴
１００    かつら
２００    かつら
３００    かつら
Ｌ１，Ｌ２，Ｌ３，Ｌ４，Ｌ５，Ｌ６    各片の幅
【図１】
0005014538.tif 000002
【図２】
0005014538.tif 000003
【図３】
0005014538.tif 000004
【図４】
0005014538.tif 000005
【図５】
0005014538.tif 000006
【図６】
0005014538.tif 000007
【図７】
0005014538.tif 000008
【図８】
0005014538.tif 000009
【図９】
0005014538.tif 000010
【図１０】
0005014538.tif 000011